(57)【要約】【課題】たとえ整流装置の電圧降下にバラツキが存在していても、アクティブでない共通ラインの電圧（寄生容量による電圧）を均一にする又は均一に近づけることができる表示装置を提供する。【解決手段】複数の共通ラインと、複数の駆動ラインと、複数の発光素子と、ソースドライバと、シンクドライバと、を備え、共通ラインに接続されるとともに、接続されている共通ラインの電圧を引き下げる放電装置と、共通ラインと放電装置とに接続されるとともに、接続されている共通ラインの電圧が放電装置により所定の値未満に引き下げられないよう制限をかける放電制限装置と、放電装置及び放電制限装置と共通ラインとの間に接続されるとともに、共通ライン側から放電装置及び放電制限装置側へは電流を流すが放電装置及び放電制限装置側から共通ライン側へは電流を流さない整流装置と、を備えた表示装置である。【選択図】図１
2015060216.tif 000002
【特許請求の範囲】
【請求項１】
複数の共通ラインと、複数の駆動ラインと、前記複数の共通ラインと前記複数の駆動ラインとに接続される複数の発光素子と、前記複数の共通ラインに時分割で電圧を印加するソースドライバと、前記複数の駆動ラインのうち点灯対象となる発光素子に接続された駆動ラインから電流を引き込むシンクドライバと、を備えた表示装置であって、
前記共通ラインに接続されるとともに、前記接続されている共通ラインの電圧を引き下げる放電装置と、
前記共通ラインと前記放電装置とに接続されるとともに、前記接続されている共通ラインの電圧が前記放電装置により所定の値未満に引き下げられないよう制限をかける放電制限装置と、
前記放電装置及び前記放電制限装置と前記共通ラインとの間に接続されるとともに、前記共通ライン側から前記放電装置及び前記放電制限装置側へは電流を流すが前記放電装置及び前記放電制限装置側から前記共通ライン側へは電流を流さない整流装置と、
を備えたことを特徴とする表示装置。
【請求項２】
前記放電装置は、一端が前記共通ライン側に接続され他端がグランド側に接続される半導体スイッチを備えていることを特徴とする請求項１に記載の表示装置。
【請求項３】
１つの放電装置と１つの放電制限装置とに２本以上の共通ラインが接続されていることを特徴とする請求項１または２に記載の表示装置。
【発明の詳細な説明】
【技術分野】
【０００１】
本発明は、複数の発光素子がダイナミック点灯方式で駆動制御される表示装置に関する。
【背景技術】
【０００２】
従来、複数本の走査電極（共通ライン）と複数本の信号電極（駆動ライン）とをマトリクス状に交差配置し、マトリクスの各交差点で表示素子を走査電極（共通ライン）と信号電極（駆動ライン）との間の電圧によって駆動するドットマトリクス表示装置であって、走査電極（共通ライン）と所定の基準電位を与える基準電圧端子との間に整流素子を所定の極性の向きで電気的に接続し、走査電極（共通ライン）上の電荷を整流素子を介して基準電圧端子側に放電するドットマトリクス表示装置が提案された（特許文献１参照）。
【先行技術文献】
【特許文献】
【０００３】
【特許文献１】特開２００１−１０９４３３号公報
【発明の概要】
【発明が解決しようとする課題】
【０００４】
しかしながら、上記従来の表示装置では、２本以上の共通ラインを１つの基準電圧端子に接続することにより所定の基準電位（アクティブである共通ラインの電位−該共通ラインに接続されている整流素子の電圧降下）を創出し、アクティブでない共通ラインの電圧（寄生容量による電圧）が、このようにして創出された所定の基準電位より大きい場合に、その差分を基準電圧端子側に放電する構成が採用されている。このため、各整流素子の電圧降下にバラツキがあると、アクティブでない共通ラインの電圧（寄生容量による電圧）を均一にする又は均一に近づけることが困難になるという問題があった。
【０００５】
そこで、本発明は、たとえ整流装置の電圧降下にバラツキが存在していても、アクティブでない共通ラインの電圧（寄生容量による電圧）を均一にする又は均一に近づけることができる表示装置を提供することを目的とする。
【課題を解決するための手段】
【０００６】
本発明によれば、上記課題は、次の手段により解決される。すなわち、本発明は、複数の共通ラインと、複数の駆動ラインと、前記複数の共通ラインと前記複数の駆動ラインとに接続される複数の発光素子と、前記複数の共通ラインに時分割で電圧を印加するソースドライバと、前記複数の駆動ラインのうち点灯対象となる発光素子に接続された駆動ラインから電流を引き込むシンクドライバと、を備えた表示装置であって、前記共通ラインに接続されるとともに、前記接続されている共通ラインの電圧を引き下げる放電装置と、前記共通ラインと前記放電装置とに接続されるとともに、前記接続されている共通ラインの電圧が前記放電装置により所定の値未満に引き下げられないよう制限をかける放電制限装置と、前記放電装置及び前記放電制限装置と前記共通ラインとの間に接続されるとともに、前記共通ライン側から前記放電装置及び前記放電制限装置側へは電流を流すが前記放電装置及び前記放電制限装置側から前記共通ライン側へは電流を流さない整流装置と、を備えたことを特徴とする表示装置である。
【発明の効果】
【０００７】
本発明によれば、各発光素子が誤点灯する程度と各発光素子に掛かる逆電圧の大きさとに関して均一性に優れる高品質な表示装置を提供することができる。
【図面の簡単な説明】
【０００８】
【図１】本発明の実施形態１に係る表示装置の回路図（ａ）及びタイミングチャート（ｂ）である。
【図２】本発明の実施形態２に係る表示装置の回路図（ａ）及びタイミングチャート（ｂ）である。
【図３】本発明の実施形態３に係る表示装置の回路図（ａ）及びタイミングチャート（ｂ）である。
【図４】本発明の実施形態４に係る表示装置の回路図（ａ）及びタイミングチャート（ｂ）である。
【発明を実施するための形態】
【０００９】
以下に、添付した図面を参照しつつ、本発明を実施するための形態について説明する。
【００１０】
［本発明の実施形態１に係る表示装置］
図１は、本発明の実施形態１に係る表示装置の回路図（ａ）及びタイミングチャート（ｂ）である。
【００１１】
図１（ａ）に示すように、本発明の実施形態１に係る表示装置は、複数の共通ラインＬ１１〜１３と、複数の駆動ラインＬ２１、２２と、複数の共通ラインＬ１１〜１３と複数の駆動ラインＬ２１、２２とに接続される複数の発光素子１〜６と、複数の共通ラインＬ１１〜１３に時分割で電圧を印加するソースドライバと、複数の駆動ラインＬ２１、２２のうち点灯対象となる発光素子に接続された駆動ラインから電流を引き込むシンクドライバと、を備えた表示装置であって、共通ラインＬ１１〜１３に接続されるとともに、接続されている共通ラインの電圧を引き下げる放電装置Ａ１〜３と、共通ラインＬ１１〜１３と放電装置Ａ１〜３とに接続されるとともに、接続されている共通ラインの電圧が放電装置Ａ１〜３により所定の値未満に引き下げられないよう制限をかける放電制限装置Ｂ１〜３と、放電装置Ａ１〜３及び放電制限装置Ｂ１〜３と共通ラインＬ１１〜１３との間に接続されるとともに、共通ラインＬ１１〜１３側から放電装置Ａ１〜３及び放電制限装置Ｂ１〜３側へは電流を流すが放電装置Ａ１〜３及び放電制限装置Ｂ１〜３側から共通ラインＬ１１〜１３側へは電流を流さない整流装置Ｄ１〜３と、を備えた表示装置である。
【００１２】
以下、順に説明する。
【００１３】
（複数の共通ライン、複数の駆動ライン）
複数の共通ラインＬ１１〜１３や複数の駆動ラインＬ２１、２２には、例えば銅箔を用いる。例えば、プリント配線基板の配線の一部が共通ラインＬ１１〜１３及び駆動ラインＬ２１、２２に相当する。
【００１４】
（複数の発光素子）
複数の発光素子１〜６には、例えば図１に示した発光ダイオードを用いる。複数の発光素子１〜６は、複数の共通ラインＬ１１〜１３と複数の駆動ラインＬ２１、２２とに接続される。
【００１５】
（ソースドライバ）
ソースドライバは、例えば半導体スイッチＣＯＭ１〜３を有している。ソースドライバが有する半導体スイッチＣＯＭ１〜３には、例えば図１に示したＰチャネル型ＦＥＴ（Ｆｉｅｌｄ  Ｅｆｆｅｃｔ  Ｔｒａｎｓｉｓｔｏｒ：電界効果トランジスタ）などのほか、ＰＮＰトランジスタなどを用いることができる。ソースドライバは、例えば半導体スイッチＣＯＭ１〜３を時分割で開閉して複数の共通ラインＬ１１〜１３を時分割で電圧供給部Ｖ１に接続することにより、複数の共通ラインＬ１１〜１３に時分割で電圧を印加する。なお、具体的な数値を挙げて理解を容易にするため、図１では、一例として、電圧供給部Ｖ１が供給する電圧を５Ｖとしているが、電圧供給部Ｖ１が供給する電圧は５Ｖに限定されない。
【００１６】
（シンクドライバ）
シンクドライバは、例えば半導体スイッチＳＥＧ１、２を有している。シンクドライバが有する半導体スイッチＳＥＧ１、２には、例えば図１に示したＮＰＮトランジスタなどのほか、Ｎチャネル型ＦＥＴなどを用いることができる。シンクドライバは、複数の駆動ラインＬ２１、２２のうち点灯対象となる発光素子に接続された駆動ラインから電流を引き込む。
【００１７】
（放電装置）
放電装置Ａ１〜３は、共通ラインＬ１１〜１３に接続されるとともに、接続されている共通ラインＬ１１〜１３の電圧を引き下げる。本発明の実施形態１では、複数の共通ラインＬ１１〜１３に放電装置Ａ１〜３がそれぞれ接続される。
【００１８】
放電装置Ａ１〜３は、一端が共通ラインＬ１１〜１３側に接続され他端がグランド側に接続される配線などを有しているが、例えば、図１（ａ）に示すような負荷Ｌ１１〜１３を有していてもよい。放電装置Ａ１〜３が負荷Ｌ１１〜１３を有する場合は、放電装置Ａ１〜３が有する配線などに過大な電流が流れることが抑制される。
【００１９】
（放電制限装置）
放電制限装置Ｂ１〜３は、共通ラインＬ１１〜１３と放電装置Ａ１〜３とに接続されるとともに、接続されている共通ラインＬ１１〜１３の電圧が放電装置Ａ１〜３により所定の値未満に引き下げられないよう制限をかける。本発明の実施形態１では、複数の共通ラインＬ１１〜１３に放電制限装置Ｂ１〜３がそれぞれ接続される。
【００２０】
放電制限装置Ｂ１〜３は、一端が共通ラインＬ１１〜１３側に接続され他端が電圧供給部Ｖ２１〜２３側に接続される配線などを有しているが、例えば、図１（ａ）に示すように、負荷Ｌ２１〜２３を有していてもよい。放電制限装置Ｂ１〜３が負荷Ｌ２１〜２３を有する場合は、放電装置Ａ１〜３が有する配線などに過大な電流が流れることが抑制される。なお、具体的な数値を挙げて理解を容易にするため、図１（ａ）では、一例として、放電制限装置Ｂ１〜３の他端に接続された電圧供給部Ｖ２１〜２３が供給する電圧をそれぞれ５Ｖ、８Ｖ、３Ｖにしているが、電圧供給部Ｖ２１〜２３が供給する電圧はこれらの値に限定されず、例えば同じであってもよい（例：Ｖ２１〜２３は、ともに５Ｖであってもよい）。
【００２１】
（整流装置）
整流装置Ｄ１〜３は、放電装置Ａ１〜３及び放電制限装置Ｂ１〜３と共通ラインＬ１１〜１３との間に接続されるとともに、共通ラインＬ１１〜１３側から放電装置Ａ１〜３及び放電制限装置Ｂ１〜３側へは電流を流すが、放電装置Ａ１〜３及び放電制限装置Ｂ１〜３側から共通ラインＬ１１〜１３側へは電流を流さない（ただし、回路の動作に影響を与えない程度の微少なリーク電流などは許容される）。
【００２２】
整流装置Ｄ１〜３には、整流ダイオードなどの整流素子を用いることができる。
【００２３】
（動作）
図１（ｂ）に示すように、ソースドライバによる走査が開始すると、複数の共通ラインＬ１１〜１３に時分割で電圧が印加される。具体的には、半導体スイッチＣＯＭ１〜３が、半導体スイッチＣＯＭ１、半導体スイッチＣＯＭ２、半導体スイッチＣＯＭ３、半導体スイッチＣＯＭ１・・・の順に所定の時間間隔を空けて繰り返し開閉し、複数の共通ラインＬ１１〜１３に電圧が順次印加される。
【００２４】
シンクドライバは、複数の駆動ラインＬ２１、２２のうち点灯対象となる発光素子に接続された駆動ラインから電流を引き込む。ここでは、発光素子１、４が点灯対象となる発光素子であるとして、共通ラインＬ１１に電圧が印加されている間に半導体スイッチＳＥＧ１が閉じて駆動ラインＬ２１から電流が引き込まれ、共通ラインＬ１２に電圧が印加されている間に半導体スイッチＳＥＧ２が閉じて駆動ラインＬ２２から電流が引き込まれる。これにより、発光素子１、４が点灯する。
【００２５】
共通ラインＬ１１〜１３は、アクティブでない間（ソースドライバにより電圧を印加されていない間）、その寄生容量が整流装置Ｄ１〜３及び放電装置Ａ１〜３を介してそれぞれ放電される。ただし、これらの放電は、放電制限装置Ｂ１〜３により、各共通ラインＬ１１〜１３の電圧が所定の値未満に引き下げられないよう制限をかけられる。具体的に説明すると、本発明の実施形態１では、図１（ａ）中のＸ１〜３で示した点の電圧が所定の値として創出され、各共通ラインＬ１１〜１３は、放電制限装置Ｂ１〜３により、その電圧がＸ１〜３で示した点の電圧よりそれぞれ大きい場合にだけ、その寄生容量が整流装置Ｄ１〜３及び放電装置Ａ１〜３を介してそれぞれ放電される。
【００２６】
Ｘ１〜３で示した点の電圧は、放電制限装置Ｂ１〜３の電圧供給部Ｖ２１〜２３により供給される電圧と、放電制限装置Ｂ１〜３の負荷Ｌ２１〜２３及び放電装置Ａ１〜３の負荷Ｌ１１〜１３と、の関係によって決まり、整流装置Ｄ１〜３の電圧降下とは無関係である。したがって、本発明の実施形態１に係る表示装置によれば、たとえ整流装置Ｄ１〜３の電圧降下にバラツキが存在していても、アクティブでない共通ラインの電圧（寄生容量による電圧）を均一にする又は均一に近づけることができる。なお、本発明の実施形態１では、電圧供給部Ｖ２１〜２３が供給する電圧がそれぞれ５Ｖ、８Ｖ、３Ｖであり、放電制限装置Ｂ１〜３の負荷Ｌ２１〜２３がそれぞれ５．６ｋΩ、６．８ｋΩ、２．７ｋΩであり、放電装置Ａ１〜３の負荷Ｌ１１〜１３がそれぞれ３．６ｋΩ、２．２ｋΩ、５．６ｋΩであり、Ｘ１〜３で示した点の電圧（所定の値の一例）がともに２．０Ｖである場合について説明したが、所定の値はこれに限定されない。なお、本発明の実施形態１において、放電装置Ａ１〜３の負荷Ｌ１１〜１３は、Ｘ１〜３で示した点の電圧（所定の値の一例）を決めるだけではなく、放電にかかる時間を決める要因ともなる。放電装置Ａ１〜３の負荷Ｌ１１〜１３は、これを小さくすれば放電にかかる時間を短くすることができる。他方、放電装置Ａ１〜３の負荷Ｌ１１〜１３は、これを大きくすれば消費電力の低減を図ることができる。
【００２７】
以上説明した本発明の実施形態１に係る表示装置によれば、放電制限装置Ｂ１〜３により、たとえ整流装置Ｄ１〜３の電圧降下にバラツキが存在していても、アクティブでない共通ラインの電圧（寄生容量による電圧）を均一にする又は均一に近づけることができる。したがって、各発光素子１〜６が誤点灯する程度と各発光素子１〜６に掛かる逆電圧の大きさとに関して均一性に優れる高品質な表示装置を提供することができる。
【００２８】
［本発明の実施形態２に係る表示装置］
図２は、本発明の実施形態２に係る表示装置の回路図（ａ）及びタイミングチャート（ｂ）である。
【００２９】
図２（ａ）に示すように、本発明の実施形態２に係る表示装置は、放電装置Ａ１〜３が半導体スイッチＳＷ１〜３（例：Ｎチャネル型ＦＥＴやＮＰＮトランジスタ）を備えているとともに、放電制限装置Ｂ１〜３が負荷Ｌ２１〜２３を備えていない点で、本発明の実施形態１に係る表示装置と相違する。半導体スイッチＳＷ１〜３は、一端が共通ラインＬ１１〜１３側に接続され他端がグランド側に接続される。
【００３０】
（動作）
図２（ｂ）に示すように、ソースドライバによる走査が開始すると、複数の共通ラインＬ１１〜１３に時分割で電圧が印加される。具体的には、半導体スイッチＣＯＭ１〜３が、半導体スイッチＣＯＭ１、半導体スイッチＣＯＭ２、半導体スイッチＣＯＭ３、半導体スイッチＣＯＭ１・・・の順に所定の時間間隔を空けて繰り返し開閉し、複数の共通ラインＬ１１〜１３に電圧が順次印加される。
【００３１】
シンクドライバは、複数の駆動ラインＬ２１、２２のうち点灯対象となる発光素子に接続された駆動ラインから電流を引き込む。ここでは、発光素子１、４が点灯対象となる発光素子であるとして、共通ラインＬ１１に電圧が印加されている間に半導体スイッチＳＥＧ１が閉じて駆動ラインＬ２１から電流が引き込まれ、共通ラインＬ１２に電圧が印加されている間に半導体スイッチＳＥＧ２が閉じて駆動ラインＬ２２から電流が引き込まれる。これにより、発光素子１、４が点灯する。
【００３２】
放電装置Ｂ１が有する半導体スイッチＳＷ１は、ソースドライバが共通ラインＬ１１への電圧の印加を終了してから共通ラインＬ１２への電圧の印加を開始するまでの間、すなわち、半導体スイッチＣＯＭ１が閉じてから半導体スイッチＣＯＭ２が開くまでの間に閉じる。これにより、共通ラインＬ１１は、アクティブでない間（ソースドライバにより電圧を印加されていない間）、その寄生容量が整流装置Ｄ１及び放電装置Ａ１を介して放電される。
【００３３】
同様に、放電装置Ｂ２が有する半導体スイッチＳＷ２は、ソースドライバが共通ラインＬ１２への電圧の印加を終了してから共通ラインＬ１３への電圧の印加を開始するまでの間、すなわち、半導体スイッチＣＯＭ２が閉じてから半導体スイッチＣＯＭ３が開くまでの間に閉じる。これにより、共通ラインＬ１２は、アクティブでない間（ソースドライバにより電圧を印加されていない間）、その寄生容量が整流装置Ｄ２及び放電装置Ａ２を介して放電される。
【００３４】
同様に、放電装置Ｂ３が有する半導体スイッチＳＷ３は、ソースドライバが共通ラインＬ１３への電圧の印加を終了してから共通ラインＬ１１への電圧の印加を開始するまでの間、すなわち、半導体スイッチＣＯＭ３が閉じてから半導体スイッチＣＯＭ１が開くまでの間に閉じる。これにより、共通ラインＬ１３は、アクティブでない間（ソースドライバにより電圧を印加されていない間）、その寄生容量が整流装置Ｄ３及び放電装置Ａ３を介して放電される。
【００３５】
これらの放電は、放電制限装置Ｂ１〜３により、各共通ラインＬ１１〜１３の電圧が所定の値未満に引き下げられないよう制限をかけられる。具体的に説明すると、本発明の実施形態２では、図２（ａ）中のＸ１〜３で示した点の電圧が所定の値として創出され、各共通ラインＬ１１〜１３は、放電制限装置Ｂ１〜３により、その電圧がＸ１〜３で示した点の電圧よりそれぞれ大きい場合にだけ、その寄生容量が整流装置Ｄ１〜３及び放電装置Ａ１〜３を介してそれぞれ放電される。
【００３６】
Ｘ１〜３で示した点の電圧は、放電制限装置Ｂ１〜３の電圧供給部Ｖ２１〜２３により供給される電圧によって決まり、整流装置Ｄ１〜３の電圧降下とは無関係である。したがって、本発明の実施形態２に係る表示装置によれば、たとえ整流装置Ｄ１〜３の電圧降下にバラツキが存在していても、アクティブでない共通ラインの電圧（寄生容量による電圧）を均一にする又は均一に近づけることができる。なお、本発明の実施形態２では、電圧供給部Ｖ２１〜２３が供給する電圧がそれぞれ２．８Ｖ、２．０Ｖ、１．２Ｖであり、Ｘ１〜３で示した点の電圧（所定の値の一例）がそれぞれ２．８Ｖ、２．０Ｖ、１．２Ｖである場合について説明したが、所定の値はこれらの値に限定されない。なお、本発明の実施形態２において、放電装置Ａ１〜３の負荷Ｌ１１〜１３は、Ｘ１〜３で示した点の電圧（所定の値の一例）を決める要因ではなく、放電にかかる時間を決める要因となる。本発明の実施形態２では、消費電力の低減が半導体スイッチＳＷ１〜３により図られるため、放電装置Ａ１〜３の負荷Ｌ１１〜１３の値は小さく（例：２００Ω）、放電にかかる時間は短い。
【００３７】
以上説明した本発明の実施形態２に係る表示装置によれば、本発明の実施形態１に係る表示装置と同様に、放電制限装置Ｂ１〜３により、たとえ整流装置Ｄ１〜３の電圧降下にバラツキが存在していても、アクティブでない共通ラインの電圧（寄生容量による電圧）を均一にする又は均一に近づけることができる。したがって、各発光素子１〜６が誤点灯する程度と各発光素子１〜６に掛かる逆電圧の大きさとに関して均一性に優れる高品質な表示装置を提供することができる。
【００３８】
加えて、本発明の実施形態２に係る表示装置によれば、共通ラインＬ１１〜１３の電圧が所定の値にまでに引き下げられた後に、半導体スイッチＳＷ１〜３を開いて放電制限装置Ｂ１〜３とグランド側との導通を解除することにより、放電制限装置Ｂ１〜３から放電装置Ａ１〜３に無駄な電流が流れることを抑制して、消費電力の低減を図ることができる。
【００３９】
［本発明の実施形態３に係る表示装置］
図３は、本発明の実施形態３に係る表示装置の回路図（ａ）及びタイミングチャート（ｂ）である。
【００４０】
図３（ａ）に示すように、本発明の実施形態３に係る表示装置は、１つの放電装置Ａと１つの放電制限装置Ｂとに２本以上の共通ラインＬ１１〜１３が接続されている点で、本発明の実施形態１に係る表示装置と相違する。
【００４１】
（動作）
図３（ｂ）に示すように、ソースドライバによる走査が開始すると、複数の共通ラインＬ１１〜１３に時分割で電圧が印加される。具体的には、半導体スイッチＣＯＭ１〜３が、半導体スイッチＣＯＭ１、半導体スイッチＣＯＭ２、半導体スイッチＣＯＭ３、半導体スイッチＣＯＭ１・・・の順に所定の時間間隔を空けて繰り返し開閉し、複数の共通ラインＬ１１〜１３に電圧が順次印加される。
【００４２】
シンクドライバは、複数の駆動ラインＬ２１、２２のうち点灯対象となる発光素子に接続された駆動ラインから電流を引き込む。ここでは、発光素子１、４が点灯対象となる発光素子であるとして、共通ラインＬ１１に電圧が印加されている間に半導体スイッチＳＥＧ１が閉じて駆動ラインＬ２１から電流が引き込まれ、共通ラインＬ１２に電圧が印加されている間に半導体スイッチＳＥＧ２が閉じて駆動ラインＬ２２から電流が引き込まれる。これにより、発光素子１、４が点灯する。
【００４３】
共通ラインＬ１１〜１３は、アクティブでない間（ソースドライバにより電圧が印加されていない間）、その寄生容量が整流装置Ｄ１〜３及び放電装置Ａを介してそれぞれ放電される。ただし、これらの放電は、放電制限装置Ｂにより、各共通ラインＬ１１〜１３の電圧が所定の値未満に引き下げられないよう制限をかけられる。具体的に説明すると、本発明の実施形態３では、図３（ａ）中のＸで示した点の電圧が所定の値として創出され、各共通ラインＬ１１〜１３は、放電制限装置Ｂにより、その電圧がＸで示した点の電圧よりそれぞれ大きい場合にだけ、その寄生容量が整流装置Ｄ１〜３及び放電装置Ａを介してそれぞれ放電される。
【００４４】
Ｘで示した点の電圧は、放電制限装置Ｂの電圧供給部Ｖ２により供給される電圧と、放電制限装置Ｂの負荷Ｌ２及び放電装置Ａの負荷Ｌ１と、の関係によって決まり、整流装置Ｄ１〜３の電圧降下とは無関係である。したがって、本発明の実施形態３に係る表示装置によれば、たとえ整流装置Ｄ１〜３の電圧降下にバラツキが存在していても、アクティブでない共通ラインの電圧（寄生容量による電圧）を均一にする又は均一に近づけることができる。なお、本発明の実施形態３では、電圧供給部Ｖ２が供給する電圧が５Ｖであり、放電制限装置Ｂの負荷Ｌ２が４７０Ωであり、放電装置Ａの負荷Ｌ１が４７０Ωであり、Ｘで示した点の電圧（所定の値の一例）が２．５Ｖである場合について説明したが、所定の値はこれに限定されない。なお、本発明の実施形態３において、放電装置Ａの負荷Ｌ１は、Ｘで示した点の電圧（所定の値の一例）を決めるだけではなく、放電にかかる時間を決める要因ともなる。放電装置Ａの負荷Ｌ１は、これを小さくすれば放電にかかる時間を短くすることができる。他方、放電装置Ａの負荷Ｌ１は、これを大きくすれば消費電力の低減を図ることができる。
【００４５】
以上説明した本発明の実施形態３に係る表示装置によれば、１つの放電装置Ａと１つの放電制限装置Ｂとに２本以上の共通ラインＬ１１〜１３が接続されてはいるものの、本発明の実施形態１に係る表示装置と同様に、放電制限装置Ｂにより、たとえ整流装置Ｄ１〜３の電圧降下にバラツキが存在していても、アクティブでない共通ラインの電圧（寄生容量による電圧）を均一にする又は均一に近づけることができる。したがって、各発光素子１〜６が誤点灯する程度と各発光素子１〜６に掛かる逆電圧の大きさとに関して均一性に優れる高品質な表示装置を提供することができる。
【００４６】
［本発明の実施形態４に係る表示装置］
図４は、本発明の実施形態４に係る表示装置の回路図（ａ）及びタイミングチャート（ｂ）である。
【００４７】
図４（ａ）に示すように、本発明の実施形態４に係る表示装置は、放電装置Ａが半導体スイッチＳＷ（例：Ｎチャネル型ＦＥＴやＮＰＮトランジスタ）を備えている点で、本発明の実施形態３に係る表示装置と相違する。半導体スイッチＳＷは、一端が共通ラインＬ１１〜１３側に接続され他端がグランド側に接続される。
【００４８】
（動作）
図４（ｂ）に示すように、ソースドライバによる走査が開始すると、複数の共通ラインＬ１１〜１３に時分割で電圧が印加される。具体的には、半導体スイッチＣＯＭ１〜３が、半導体スイッチＣＯＭ１、半導体スイッチＣＯＭ２、半導体スイッチＣＯＭ３、半導体スイッチＣＯＭ１・・・の順に所定の時間間隔を空けて繰り返し開閉し、複数の共通ラインＬ１１〜１３に電圧が順次印加される。
【００４９】
シンクドライバは、複数の駆動ラインＬ２１、２２のうち点灯対象となる発光素子に接続された駆動ラインから電流を引き込む。ここでは、発光素子１、４が点灯対象となる発光素子であるとして、共通ラインＬ１１に電圧が印加されている間に半導体スイッチＳＥＧ１が閉じて駆動ラインＬ２１から電流が引き込まれ、共通ラインＬ１２に電圧が印加されている間に半導体スイッチＳＥＧ２が閉じて駆動ラインＬ２２から電流が引き込まれる。これにより、発光素子１、４が点灯する。
【００５０】
放電装置Ａが有する半導体スイッチＳＷは、ソースドライバが共通ラインＬ１１〜１３のいずれかへの電圧の印加を終了してから共通ラインＬ１１〜１３のいずれかへの電圧の印加を開始するまでの間、すなわち、半導体スイッチＣＯＭ１〜３のいずれかが閉じてから半導体スイッチＣＯＭ１〜３のいずれかが開くまでの間に閉じる。これにより、共通ラインＬ１１〜１３は、アクティブでない間（ソースドライバにより電圧を印加されていない間）、その寄生容量が整流装置Ｄ１〜３及び放電装置Ａ１〜３を介してそれぞれ放電される。
【００５１】
これらの放電は、放電制限装置Ｂにより、各共通ラインＬ１１〜１３の電圧が所定の値未満に引き下げられないよう制限をかけられる。具体的に説明すると、本発明の実施形態４では、図４（ａ）中のＸ１〜３で示した点の電圧が所定の値として創出され、各共通ラインＬ１１〜１３は、放電制限装置Ｂにより、その電圧がＸ１〜３で示した点の電圧よりそれぞれ大きい場合にだけ、その寄生容量が整流装置Ｄ１〜３及び放電装置Ａを介してそれぞれ放電される。
【００５２】
Ｘ１〜３で示した点の電圧は、放電制限装置Ｂの電圧供給部Ｖ２により供給される電圧と、放電制限装置Ｂの負荷Ｌ２及び放電装置Ａの負荷Ｌ１と、の関係によって決まり、整流装置Ｄ１〜３の電圧降下とは無関係である。したがって、本発明の実施形態３に係る表示装置によれば、たとえ整流装置Ｄ１〜３の電圧降下にバラツキが存在していても、アクティブでない共通ラインの電圧（寄生容量による電圧）を均一にする又は均一に近づけることができる。なお、本発明の実施形態４では、電圧供給部Ｖ２が供給する電圧が５Ｖであり、放電制限装置Ｂの負荷Ｌ２が５６０Ωであり、放電装置Ａの負荷Ｌ１が３６０Ωであり、Ｘで示した点の電圧（所定の値の一例）が２．０Ｖである場合について説明したが、所定の値はこれに限定されない。なお、本発明の実施形態４において、放電装置Ａの負荷Ｌ１は、Ｘで示した点の電圧（所定の値の一例）を決めるだけではなく、放電にかかる時間を決める要因ともなる。放電装置Ａの負荷Ｌ１は、これを小さくすれば放電にかかる時間を短くすることができる。他方、放電装置Ａの負荷Ｌ１は、これを大きくすれば消費電力の低減を図ることができる。なお、本発明の実施形態４において、消費電力の低減は、半導体スイッチＳＷ１〜３によっても図られる。
【００５３】
以上説明した本発明の実施形態４に係る表示装置によれば、本発明の実施形態３に係る表示装置と同様に、放電制限装置Ｂにより、たとえ整流装置Ｄ１〜３の電圧降下にバラツキが存在していても、アクティブでない共通ラインの電圧（寄生容量による電圧）を均一にする又は均一に近づけることができる。したがって、各発光素子１〜６が誤点灯する程度と各発光素子１〜６に掛かる逆電圧とに関して均一性に優れる高品質な表示装置を提供することができる。
【００５４】
加えて、本発明の実施形態４に係る表示装置によれば、共通ラインＬ１１〜１３の電圧が所定の値にまでに引き下げられた後に、半導体スイッチＳＷを開いて放電制限装置Ｂとグランド側との導通を解除することにより、放電制限装置Ｂから放電装置Ａに無駄な電流が流れることを抑制して、消費電力の低減を図ることができる。
【００５５】
［オープン故障、ショート故障］
以上、本発明の実施形態１〜４に係る表示装置について説明したが、本発明の実施形態１〜４に係る表示装置において、所定の値は、整流装置の電圧降下とは無関係に決まる。したがって、たとえ整流装置の一つがオープン故障やショート故障しても所定の値は変化しない。このため、整流装置の一つがオープン故障やショート故障しても、整流装置がオープン故障やショート故障などしていない共通ラインに接続された他の発光素子について、引き続き、アクティブでない間（ソースドライバにより電圧を印加されていない間）、その電圧を均一にする又は均一に近づけることができる。よって、本発明の実施形態１〜４によれば、オープン故障やショート故障などに強い表示装置を提供することができる。
【００５６】
［その他］
なお、図４（ａ）に示したように、本発明の実施形態４に係る表示装置では、ソースドライバにより印加される電圧が各共通ラインＬ１１〜１３で異なっており、具体的には、共通ラインＬ１１についてはＶ１１＝３Ｖ、共通ラインＬ１２についてはＶ１２＝５Ｖ、共通ラインＬ１３についてはＶ１３＝４Ｖとされるが、このような場合であっても、所定の値は、整流装置の電圧降下とは無関係に決まるため、アクティブでない共通ラインの電圧（寄生容量による電圧）を均一にする又は均一に近づけることができる。
【実施例１】
【００５７】
次に、本発明の実施例１に係る表示装置について説明する。
【００５８】
本発明の実施例１に係る表示装置では、２４本の共通ラインと４８本の駆動ラインとを交差して配置し、共通ラインと駆動ラインとを交差してできる各交点に、１１５２個の発光ダイオード（Ｒｅｄ、Ｇｒｅｅｎ、Ｂｌｕｅからなる３種類の発光ダイオードチップが含まれる。）をそれぞれ配置した。
【００５９】
ソースドライバにはＰｃｈＭＯＳＦＥＴを用い、シンクドライバには１５ｍＡ程度に設定した定電流駆動のＮＰＮバイポーラトランジスタを用いた。また、放電制限装置と放電装置と整流装置と共通ラインとの接続関係は、本発明の実施形態３（図３参照）に基づき行った。
【００６０】
電圧供給部Ｖ１が供給する電圧は、５Ｖであるものとした。また、電圧供給部Ｖ２が供給する電圧は５Ｖであるものとし、放電制限装置Ｂの負荷Ｌ２には３．９ｋΩの抵抗器を用い、放電装置Ａの負荷Ｌ１には５．１ｋΩの抵抗器を用いた。所定の値は、電圧供給部Ｖ２が供給する電圧と放電制限装置Ｂの負荷Ｌ２と放電装置Ａの負荷Ｌ１とにより決まり、２．８Ｖ（図３中のＸに相当する点の電圧）である。整流装置Ｄ１、Ｄ２、・・・Ｄ２４にはスイッチングダイオードを用いた。
【００６１】
このような本発明の実施例１に係る表示装置を、１／２４のＤｕｔｙ比でダイナミック駆動させ、共通ラインの走査周期を８６．８ｕｓとし、走査される共通ラインにおいてソースドライバが電圧を印加する期間を７６．８ｕｓとし、電圧を印加していない期間を１０ｕｓとした。
【００６２】
また、誤点灯が発生しているか、また逆電圧がかかっているかが分かりやすいように、あえて斜め点灯、すなわち、マトリクス状に配置された１１５２個の発光ダイオードのうち斜め方向に配置されたものを点灯させた。
【００６３】
このような本発明の実施例１に係る表示装置について、誤点灯は目視により確認し、逆電圧はオシロスコープにより確認したところ、発光ダイオードの誤点灯は見受けられず、非点灯の発光ダイオードに掛かる逆電圧は小さく抑えられていた。
【００６４】
したがって、本発明の実施例１に係る表示装置は、品質の高い表示装置であると評価することができる。
【００６５】
［比較例１］
次に、比較例１に係る表示装置について検討する。
【００６６】
比較例１に係る表示装置には、本発明の実施例１に係る表示装置と基本的には同じ構成を有しているが、放電制限装置と放電装置と整流装置とを備えていない表示装置を用いた。
【００６７】
比較例１に係る表示装置を、斜め点灯、すなわち、マトリクス状に配置された１１５２個の発光ダイオードのうち斜め方向に配置されたものを点灯させたところ、点灯させている発光ダイオードと同じ駆動ラインに接続された発光ダイオードであって、点灯させている発光ダイオードが接続された共通ラインから数本程度の範囲で離れている共通ラインに接続されるいくつかの発光ダイオードについて、誤点灯が確認された。
【００６８】
したがって、比較例１に係る表示装置は、品質の悪い表示装置であると評価することができる。
【００６９】
［比較例２］
次に、比較例２に係る表示装置について検討する。
【００７０】
比較例２に係る表示装置には、本発明の実施例１に係る表示装置と基本的には同じ構成を有しているが、放電制限装置を備えていない表示装置を用いた。
【００７１】
比較例２に係る表示装置を、斜め点灯、すなわち、マトリクス状に配置された１１５２個の発光ダイオードのうち斜め方向に配置されたものを点灯させたところ、誤点灯は確認されなかったが、非点灯の発光ダイオードに大きな逆電圧が掛かっていた。
【００７２】
このように、比較例２に係る表示装置は、放電制限装置を備えていないため、発光ダイオードに大きな逆電圧が掛かる表示装置であると評価することができる。
【００７３】
以上、本発明の実施形態及び実施例について説明したが、これらの説明は、本発明の一例に関するものであり、本発明は、これらの説明によって何ら限定されるものではない。
【符号の説明】
【００７４】
Ｌ１１〜１３        共通ライン
Ｌ２１、２２        駆動ライン
１〜６              発光素子
ＣＯＭ１〜３        半導体スイッチ
ＳＥＧ１、２        半導体スイッチ
Ａ、Ａ１〜３        放電装置
Ｂ、Ｂ１〜３        放電制限装置
Ｖ１                電圧供給部
Ｖ２、Ｖ２１〜２３  電圧供給部
ＳＷ１〜３          半導体スイッチ
Ｄ、Ｄ１〜３        ダイオード
Ｌ、Ｌ１〜３        負荷
【図１】
2015060216.tif 000003
【図２】
2015060216.tif 000004
【図３】
2015060216.tif 000005
【図４】
2015060216.tif 000006